(57)【要約】      （修正有）【課題】テーブルのロック又はロック解除する機構のキャスター操作部の操作レバーを操作し易く、且つ、小型化する。【解決手段】柱状把持部２３２を有する、全キャスターを一括して同時にロック及びロック解除操作を行うキャスター操作レバーであって、柱状把持部はテーブルの側部１４近傍でテーブルの底部に設けられ、キャスター操作レバーの操作部は水平に対して３度から１０度に傾いた台座４に固定され、キャスター操作レバーも横方向で水平に対して３度から１０度に斜めに傾いて回動し、ロック解除操作では、柱状把持部がテーブル側縁部１４１と平行で、且つ、テーブルの底部と平行に位置するようにし、ロック状態では柱状把持部はバネによってテーブル側縁部から離れ、且つ先端部がテーブルの底部と離れる位置とする。【選択図】図２
2015016130.tif 000002
【特許請求の範囲】
【請求項１】
柱状把持部を有する全キャスターを一括して同時にロック及びロック解除操作を行うキャスター操作レバーであって、
前記柱状把持部はテーブル側部近傍でテーブルの底部に設けられ、該キャスター操作レバーの操作部は水平に対して３度から１０度に傾いた台座に固定され、該キャスター操作レバーも横方向で水平に対して３度から１０度に斜めに傾いて回動し、
ロック解除操作では、前記柱状把持部がテーブル側縁部と平行で、且つ、テーブルの底部と平行に位置するようにし、
ロック状態では前記柱状把持部はバネによって前記側縁部から離れ、且つ先端部がテーブルの底部と離れる位置するようにしたことを特徴とするテーブル底面部のキャスター操作レバー。
【請求項２】
前記キャスター操作レバーが横方向で水平に対して６度斜めに傾いて回動するようにしたことを特徴とする請求項１に記載のテーブル底面部のキャスター操作レバー。
【請求項３】
前記キャスター操作レバーの回動軸には１個のベアリングを用い、該ベアリングは片持ち支持として前記回動軸には同軸溝を設けるとともに、前記操作部の基部には前記同軸溝に嵌合する半円凹部を設けたガタツキ防止プレートを配設したことを特徴とする請求項１又は２に記載のテーブル底面部のキャスター操作レバー。
【請求項４】
前記操作部の同軸ワイヤーを案内するプーリーはキャスター操作レバーと同じ角度で水平に対して傾いて回動するようにしたことを特徴とする請求項１、又は２、又は３に記載のテーブル底面部のキャスター操作レバー。
【発明の詳細な説明】
【技術分野】
【０００１】
本発明は、病院のベッド等に配置するオーバーベッドテーブルやベッドサイドテーブルのテーブル底面部のキャスター操作レバーに関するものである。
【背景技術】
【０００２】
病院のベッド近傍に配置するオーバーベッドテーブルやベッドサイドテーブルは、例えば、本発明者によって、特許文献１や特許文献２に提案されているように、テーブルが上下昇降可能であり、４個のロックレバー付きキャスターが設けられている。
これらオーバーベッドテーブルやベッドサイドテーブルのテーブルにおいて、図１２に示すように、４個の全キャスターのロック又はロック解除する機構のキャスター操作部ａは、テーブルｂの左右側の側底部ｃに設けられている。
このキャスター操作部ａには縦方向に回動する操作レバーｄを設け、この操作レバーｄはキャスターのロック状態は、操作をしない場合であって、キャスター側のバネ等による引っ張り力が、同軸ワイヤーｅによりキャスター操作部ａまで伝達され、図１２(ｂ)に示すように操作レバーｄは下方に下がった状態に維持されている。
オーバーベッドテーブルやベッドサイドテーブルを移動する場合は、使用者は下方に下がった操作レバーｄを手で挙げ、図１２(ｂ)の点線部に示すように、この状態を維持することにより、キャスターのロックを解除状態とし、操作レバーｄを手で挙げたままでオーバーベッドテーブルやベッドサイドテーブルを押せば移動することができる。
【先行技術文献】
【特許文献】
【０００３】
【特許文献１】特開２００１−４２８８７号公報
【特許文献２】特開２００１−４２８８８号公報
【発明の概要】
【発明が解決しようとする課題】
【０００４】
ところで、前掲の特許文献１及び２に開示される、図１２のオーバーベッドテーブルのロック又はロック解除する機構のキャスター操作部ａと操作レバーｄは、操作レバーｄがテーブルの外周端部で上下に回動するため、大きな占有体積を占めデザイン的に目立つ他、操作レバーｄがテーブル近くの物や使用者の衣服等に引っ掛かるといった事故を生じることもあった。
本発明の解決しようとする課題は、上述した問題点に鑑みてなされたもので、テーブルのロック又はロック解除する機構のキャスター操作部の操作レバーの回動を左右の水平方向として、なるべく物や使用者の衣服等に引っ掛からないようにテーブル底部で側部から離れた位置にするとともに、且つ、テーブルの移動に際しても、操作レバーの操作をし易くし、更に、小型にしてオーバーベッドテーブルやベッドサイドテーブルに取り付けてもデザイン的にも違和感を少なくしたテーブル底面部のキャスター操作レバーを提供しようとするものである。
【課題を解決するための手段】
【０００５】
上記課題を解決するために、請求項１のテーブル底面部のキャスター操作レバーの発明は、柱状把持部を有する全キャスターを一括して同時にロック及びロック解除操作を行うキャスター操作レバーであって、前記柱状把持部はテーブル側部近傍でテーブルの底部に設けられ、該キャスター操作レバーの操作部は水平に対して３度から１０度に傾いた台座に固定され、該キャスター操作レバーも横方向で水平に対して３度から１０度に斜めに傾いて回動し、ロック解除操作では、前記柱状把持部がテーブル側縁部と平行で、且つ、テーブル底面部と平行に位置するようにし、ロック状態では前記柱状把持部はバネによって前記側縁部から離れ、且つ先端部がテーブル底面部と離れる位置するようにしたことを特徴とするテーブル底面部のキャスター操作レバーである。
【０００６】
請求項２のテーブル底面部のキャスター操作レバーの発明は、請求項１に記載のテーブル底面部のキャスター操作レバーにおいて、前記キャスター操作レバーが横方向で水平に対して６度斜めに傾いて回動するようにしたことを特徴とする。
請求項３のテーブル底面部のキャスター操作レバーの発明は、請求項１又は２に記載のテーブル底面部のキャスター操作レバーにおいて、前記キャスター操作レバーの回動軸には１個のベアリングを用い、該ベアリングは片持ち支持として前記回動軸には同軸溝を設けるとともに、前記操作部の基部には前記同軸溝に嵌合する半円凹部を設けたガタツキ防止プレートを配設したことを特徴とする。
請求項４のテーブル底面部のキャスター操作レバーの発明は、請求項１、又は２、又は３に記載のテーブル底面部のキャスター操作レバーにおいて、前記操作部の同軸ワイヤーを案内する案内プーリーはキャスター操作レバーと同じ角度で水平に対して傾いて回動するようにしたことを特徴とする。
【発明の効果】
【０００７】
請求項１及び２のテーブル底面部のキャスター操作レバーの発明によれば、キャスター操作レバー及び柱状把持部が傾斜を付けて回動するので、柱状把持部はテーブルの底面部から高さのある離れた位置にやや傾いた状態にあるが、キャスター操作レバーの柱状把持部を側縁部側に引いて、全キャスターを一括して同時にロック解除する操作が簡単にでき、この際に柱状把持部が底面部から高さのある離れた位置にあるので手で掴み易く、更に、テーブルを移動させる際には、キャスターのロック解除する操作を維持しなければならないが、柱状把持部を握る際に、柱状把持部が水平に移動するのではなく、やや上方に移動するので、テーブルの天板に手を置いた状態で握り易く、長時間でもロック解除することが容易である。
また、柱状把持部がテーブルの底面部に接近すると手で握るのが難しく、逆に、余り傾かせると、柱状把持部を握るのが却って難しくなるので、レバー芯の水平に対して傾きは３度から１０度程度がよく、請求項２の６度程度であると、操作性は向上する。
【０００８】
請求項３のテーブル底面部のキャスター操作レバーの発明によれば、シャフト(回動軸)の円周上には同軸溝が設けてあり、ガタツキ防止プレートを嵌合したので、通常、ベアリングが１個だけの場合は、シャフト(回動軸)が片持ち支持となるため、シャフト(回動軸)に上下方向及び左右方向にガタツキが生じやすくなるので、ガタツキ防止プレート及び同軸溝を設けることにより、ガタツキが少なくなり、結果として、操作部の高さを低くして小型にすることができる。
請求項４のテーブル底面部のキャスター操作レバーの発明によれば、操作部の同軸ワイヤーを案内する案内プーリーをキャスター操作レバーと同じ角度で水平に対して傾いて回動するようにしたので、縦型の案内プーリーとは異なり薄くすることができ、結果として、操作部の高さを低くして小型にすることができる。
【図面の簡単な説明】
【０００９】
【図１】本発明のテーブル底面部のキャスター操作レバーをオーバーベッドテーブルに用いた状態の斜視図、図１(ａ)は天板側からの斜視図、図１(ｂ)は全キャスター１９は全てロック状態に維持された底部１２から、図１(ｃ)は全キャスター１９をロック解除に維持された状態の底部１２からの斜視図、
【図２】図２(ａ)は図１(b)(c)でのテーブル底面部とキャスター操作レバー及び操作部の関係を示す斜視図、図２(ｂ)は図２(ａ)でのＸ−Ｘ線での断面図、
【図３】図３(ａ)はキャスターが全てロック状態に維持されたキャスター操作レバー２が傾いた状態の上方からの斜視図、図３(ｂ)はキャスターのロックが解除された状態のキャスター操作レバー２を水平状態にした平面図、
【図４】図３(ｂ)のＡ−Ａ線での断面図、
【図５】図３(ｂ)のＢ−Ｂ線での断面図、
【図６】図５のＣ部分の拡大断面図、
【図７】本実施例の操作部３の凹状基部３５にベアリング３１を取り付けた状態の斜視図、
【図８】図７でベアリング３１と張出取付部３６を取り付けた状態の斜視図、
【図９】図８の裏側からのガタツキ防止プレート３８を取り付けた状態の斜視図、
【図１０】図９のシャフト(回動軸)３１１とガタツキ防止プレート３８を取り出して拡大した斜視図、
【図１１】図１１(ａ)は、キャスター操作レバー２のレバー芯２１とシャフト３１１を取り出した斜視図、図１１(ｂ)は、図１１(ａ)のレバー芯２１を操作部３に組み込んだ状態の斜視図、図１１(ｃ)はレバー芯２１に柱状把持部２３２を設け、同軸ワイヤー５を取り付けた状態の斜視図、
【図１２】図１２(ａ)は従来のオーバーベッドテーブル又はベッドサイドテーブルの底面部のキャスター操作レバーの底面図、図１２(ｂ)はその側部からみた断面図である。
【発明を実施するための形態】
【００１０】
本発明のキャスター操作レバーの好適な実施例を図面に沿って説明する。本実施例のキャスター操作レバーは、オーバーベッドテーブルやベッドサイドテーブル等の上下昇降可能な昇降テーブルであって、テーブル１の左右の細幅側部１５にテーブル昇降レバー１６が配置され、テーブル昇降レバー１６と同様に、脚部１３の全キャスター１９を一括して同時にロック／ロック解除操作を行うキャスター操作レバー２を左右の細幅側部１５の底部１２に配置している。
本発明の特徴は、このキャスター操作レバーを小型にし、回動方向をほぼ水平にして、操作レバーの操作をし易くしたもので、以下に、テーブル１の底部１２のキャスター操作レバー２をオーバーベッドテーブルに適用した実施例を図面に沿って、その構成を詳細に説明する。
【００１１】
図１(ａ)に示すように、オーバーベッドテーブルのテーブル１の天板１１１からは本実施例のキャスター操作レバー２は見えないが、図１(ｂ)に示すように、テーブルの底部１２に、横長テーブルの左右の細幅側部１５の近傍に１対のキャスター操作レバー２が配置され、この状態では脚部１３の全キャスター１９は全てロック状態に維持され、オーバーベッドテーブルは床に固定されている。
オーバーベッドテーブルを移動するには、図１(ｃ)に示すように、このキャスター操作レバー２のどちらか一方(本実施例では手前のキャスター操作レバー２)を、使用者の手でテーブル１の側部１４に引き寄せる。この状態では、脚部１３の全キャスター１９を一括して同時にロック解除され、オーバーベッドテーブルが移動可能になる。
【００１２】
このキャスター操作レバー２及び操作部３の詳細を、図２、図３に沿って説明すると、キャスター操作レバー２は、操作部３のベアリング３１のシャフト(回動軸)３１１を中心にして回動するレバー芯２１が設けられ、このレバー芯は２股に分かれ、一方の従腕部２２の末端には、キャスター１９(図１参照)を操作する同軸ワイヤー５のインナーワイヤー５１のインナーワイヤー末端部５１１を係止する係止部２２１が設けられ、従腕部２２の回動によりインナーワイヤー末端部５１１を引っ張って、全キャスター１９を一括して同時にロック解除するように操作する。
このため、インナーワイヤー５１は同軸ワイヤー５を案内する案内プーリー３２も水平に対して３度から１０度斜めに傾いており、本実施例では６度に傾いて回動するようにし案内プーリー３２によって案内され、アウターワイヤー５２のアウターワイヤー末端部５２１は操作部３の係止部３３に係止され、インナーワイヤー５１を引っ張ってキャスター１９を操作する。
他方の主腕部２３の末端部２３１には、使用者が主腕部２３を回動するための柱状把持部２３２が設けられている。
【００１３】
この柱状把持部２３２はテーブル１の側部１４の近傍であってテーブル１の底部１２に設けられ、該キャスター操作レバー２の操作部３は水平に対して３度から１０度に傾いた台座４に固定され、本実施例では、６度斜めに傾いて回動するよう設定している。これは、柱状把持部２３２がテーブル１の底面部１２１に接近すると手で握るのが難しく、逆に、余り傾かせると、柱状把持部２３２の操作が却って難しくなるので、レバー芯２１の水平に対して傾きは３度から１０度程度が良く、より操作性が良いのは６度程度であることが判ったからである。
このように、キャスター操作レバー２が水平に対して多少傾いているが、この傾きは、図２に示すように、柱状把持部２３２を手で引いた時(ストロークＳ)に、テーブル側縁部１４１と平行で、且つ、テーブル１の底部１２の底面１２１と平行に位置するように設定する(Ｙ１)。逆に、柱状把持部２３２を手から離すと、全キャスター１９を一括して同時にロックされるが、このロック状態では柱状把持部２３２はキャスター１９のロック操作部のバネによって側縁部１４１から離れ、且つ柱状把持部２３２の先端部２３３がテーブル１の底面部１２１と離れ、底面部１２１からの高さｈの位置とするように設定する（Ｙ２)。この高さｈは容易にこの柱状把持部２３２を操作できる高さで２cmから５cm程度が良く、本実施例では３cmに設定した。 
このように、傾斜を付けてキャスター操作レバー２の柱状把持部２３２を設定しているので、これによりレバーである柱状把持部２３２を握る際に、柱状把持部２３２が水平に移動するのではなく、やや上方に移動するので、テーブル１の天板１１１(上部１１)に手を置いた状態で握りやすくすることができる。
【００１４】
次に、操作部３及びキャスター操作レバー２の部材の詳細を説明する。
図３(ａ)は、キャスター１９が全てロック状態に維持された状態のキャスター操作レバー２が傾いた状態の上方からの斜視図であり、図３(ｂ)は、キャスターのロックが解除された状態のキャスター操作レバー２を水平状態にした平面図であるので、図３(ａ)と図３(ｂ)とは多少見る角度が異なる。
操作部３について、図３(ｂ)のＡ−Ａ線の断面図が図４であり、図３(ｂ)のＢ−Ｂ線の断面図が図５であり、更に図５のＣ部分の拡大断面図が図６であり、図７から図１０は操作部３の分解した図である。また、図１１はキャスター操作レバー２の分解した図である。
操作部３は図４に示すように、全体を水平から少し６度程度傾けるために上面が水平よりも傾いた台座４が設けられ、この台座４は２個に分割され側縁部１４１側の低い細長い低台座部４２と、中心側の高い細長い高台座部４１から構成され、この低高の台座部４１，４２の間には操作部３を収納する収納凹部１８(図２(ａ)参照)が設けられ、図２(ａ)に示すように、操作部３の左右の基部取付部３４を左右の高台座部４１と低台座部４２とに左右の取付板４３を介して４本のネジ４４で固着して、操作部３のテーブル１の底部分を底面部１２１の収納凹部１８にはめ込むように取り付け、操作部３がなるべく突出しないようにしている。
なお、取付板４３は傾斜を付しており、左右の基部取付部３４が傾斜しても、この傾斜を打ち消して、ネジ４４が垂直、すなわち、底面部１２１に対して直角になるようにし、底部１２に正確に固着するようになっている。
【００１５】
図７に示すように、この操作部３の凹状基部３５にベアリング３１のアウターリング３１２が張出取付部３６(図８参照)で挟むように４本のネジ３７で固着される。
固着されたベアリング３１の中心のシャフト３１１が突出しており、これに図３に示されるように、案内プーリー３２やキャスター操作レバー２のレバー芯２１がシャフト３１１を中心に回動自在に取り付けられる。また、凹状基部３５のＬ字型の左右の取付部分３４が設けられ、前述したように、台座４に固着し、結果として、操作部３をテーブル１の底部１２に固着する。なお、左側の高い高台座部４１の適宜の箇所に同軸ワイヤー５が案内プーリー３２から外れないように、脱落防止プレート３２１が設けられている。
さらに、図８に示すように、凹状基部３５には、ベアリング３１のアウターリング３１２を介して張出取付部３６が固着され、この張出取付部３６の先端の先端部３６１には、アウターワイヤー末端部５２１を係止する係止部３３がネジ３３１(図５参照)により、係止部３３の取付長孔３３２で位置を調整した後に固着される。
【００１６】
また、図８の裏側からみた図９に示すように、４本のネジ３７でベアリング３１のアウターリング３１２(図６参照)を凹状基部３５に固着する際に、シャフト３１１のガタツキを防止するために、ガタツキ防止プレート３８を凹状基部３５の適所に配置する。
図１０(ｂ)に示すガタツキ防止プレート３８は、図１０(ａ)のシャフト(回動軸)３１１の円周上には同軸溝３１９が設けてあり、この同軸溝３１９に嵌合するが、これは、操作部３をなるべく薄くするための工夫である。通常、ベアリング３１(図６参照)を１個だけの場合は、シャフト(回動軸)３１１を片持ち支持となるため、シャフト(回動軸)３１１に上下方向及び左右方向にガタツキが生じ易くなるが、ガタツキ防止プレート３８を設けることにより、ガタツキが少なくなり、結果として、操作部３の高さを低くして小型にすることができる。
【００１７】
このベアリング３１の構成を、図６に戻って詳しく説明すると、図６と図９を参照すれば判るように、ベアリング３１のアウターリング３１２は凹状基部３５と張出取付部３６とをネジ３７で挟むように固定され、インナーリング３１３にはシャフト３１１を差し込み、先端側にスペーサー３１４を挿入して、張出取付部３６と接しないようにレバー芯２１を挿入し、案内プーリー３２よりも厚いスペーサー３１５を挿入して、案内プーリー３２が自由に回動するように挿入し、シャフト３１１の先端のネジ部３１６にナット３１７を頭部３１８上面の嵌合溝部３１８１を回して係合し、インナーリング３１３とシャフト３１１は固着される。
こうして、レバー芯２１とシャフト３１１は固定され、レバー芯２１はベアリング３１によってスムースに回動し、案内プーリー３２も自由に回動する。
ここで、図１０(ｂ)に示すガタツキ防止プレート３８には半円状の半円凹部３８１がネジ孔３８２とネジ３７とで張出取付部３６(図９参照)に固着され、この半円凹部３８１はシャフト３１１の若干大径の頭部３１８の円周上に設けられた同軸溝３１９に嵌合し、この同軸溝３１９の幅と半円凹部３８１の厚さをほぼ同じか、半円凹部３８１を若干小さく設定し、シャフト３１１が軸方向に移動する範囲を極力小さくしており、結果として、シャフト(回動軸)３１１を片持ち支持であっても、レバー芯２１はベアリング３１によってスムースにガタツキがなく回動する。
【００１８】
次に、図１１に沿って、キャスター操作レバー２と操作部３の部材を説明する。
図１１(ａ)は、キャスター操作レバー２のレバー芯２１とシャフト３１１を取り出した斜視図で、レバー芯２１の主腕部２３は約Ｚ字状に構成され、従腕部２２は主腕部２３から枝分かれし、従腕部２２の長さや位置は係止部２２１が案内プーリー３２の円周の外接円状になるように設定されている。
図１１(ｂ)は、図１１(ａ)のレバー芯２１を操作部３に組み込んだ状態の図で、シャフト３１１に回転自在に案内プーリー３２が組み込まれ、レバー芯２１もインナーワイヤー末端部５１１が係止されず、反時計回りにした状態の斜視図である。
図１１(ｃ)は、同軸ワイヤー５のインナーワイヤー末端部５１１が係止部２２１に係止され、アウターワイヤー末端部５２１は係止部３３に係止され固着されて、レバー芯２１の主腕部２３の末端部２３１には手で握り易い長さと形状とした柱状把持部２３２が設けられ、柱状把持部２３２を時計回りに引くことで、インナーワイヤー末端部５１１も引かれることになり、キャスター１９のロックを解除した状態となった斜視図である。
【００１９】
本発明の実施例のテーブル底面部１２１のキャスター操作レバーの発明によれば、キャスター操作レバー２及び柱状把持部２３２が傾斜を付けて回動するので、柱状把持部２３２はテーブル１の底面部１２１から高さのある離れた位置ｈにやや傾いた状態にあり、キャスター操作レバー２の柱状把持部２３２を側縁部１４１側に引いて、全キャスター１９を一括して同時にロック解除する操作が簡単にでき、この際に柱状把持部２３２が底面部１２１から高さのある離れた位置にあるので手で掴み易く、更に、テーブルを移動させる際には、キャスター１９のロック解除する操作を維持しなければならないが、柱状把持部２３２を握る際に、柱状把持部２３２が水平に移動するのではなく、やや上方に移動するので、テーブル１の天板１１１のテーブル側縁部１４１の近傍に手を置いた状態で握り易く、長時間でもロック解除すことが容易である。
また、柱状把持部２３２がテーブル１の底面部１２１に接近すると手で握るのが難しく、逆に、余り傾かせると、柱状把持部２３２を握るのが却って難しくなるので、レバー芯２１の水平に対して傾きは３度から１０度程度がよく、６度程度であると、操作性は向上する。
【００２０】
また、シャフト(回動軸)３１１の円周上には同軸溝３１９が設け、ガタツキ防止プレート３８を嵌合したので、通常、ベアリング３１を１個だけの場合は、シャフト(回動軸)３１１を片持ち支持となるため、シャフト(回動軸)３１１に上下方向及び左右方向にガタツキが生じやすくなるが、ガタツキ防止プレート３８及び同軸溝３１９を設けることにより、ガタツキが少なくなり、結果として、操作部３の高さを低くして小型にすることができる。
更に、操作部３の同軸ワイヤー５を案内する案内プーリー３２をキャスター操作レバー２と同じ角度で水平に対して傾いてシャフト３１１を中心に回動するようにしたので、縦型の案内プーリーとは異なり薄くすることができ、結果として、操作部３の高さを低くして小型にすることができる。
なお、本発明の特徴を損なうものでなければ、上記の実施例に限定されるものでないことは勿論である。
【符号の説明】
【００２１】
１・・テーブル(オーバーベッドテーブル)、
１１・・上部、１１１・・天板、
１２・・底部、１２１・・底面部、１３・・脚部、
１４・・側部、１４１・・テーブル側縁部、１５・・細幅側部、
１６・・昇降レバー、１８・・収納凹部、１９・・キャスター、
２・・キャスター操作レバー、２１・・レバー芯、
２２・・従腕部、２２１・・係止部、２３・・主腕部、２３１・・末端部、
２３２・・柱状把持部、２３３・・先端部、
３・・操作部、３１・・ベアリング、３１１・・シャフト(回動軸)、
３１２・・アウターリング、３１３・・インナーリング、
３１４,３１５・・スペーサー、３１６・・ネジ部、３１７・・ナット、
３１８・・頭部、３１８１・・嵌合溝部、３１９・・同軸溝、
３２・・案内プーリー、３２１・・脱落防止プレート、
３３・・係止部、３３１・・ネジ、３３２・・取付長孔、
３４・・基部取付部、３５・・凹状基部、
３６・・張出取付部、３６１・・先端部、
３７・・ネジ、３８・・ガタツキ防止プレート、３８１・・半円凹部、
３８２・・ネジ孔、
４・・台座、４１・・高台座部、４２・・低台座部、
４３・・取付板、４４・・ネジ、
５・・同軸ワイヤー、５１・・インナーワイヤー、５２・・アウターワイヤー、
５１１・・インナーワイヤー末端部、 ５２１・・アウターワイヤー末端部
【図１】
2015016130.tif 000003
【図２】
2015016130.tif 000004
【図３】
2015016130.tif 000005
【図４】
2015016130.tif 000006
【図５】
2015016130.tif 000007
【図６】
2015016130.tif 000008
【図７】
2015016130.tif 000009
【図８】
2015016130.tif 000010
【図９】
2015016130.tif 000011
【図１０】
2015016130.tif 000012
【図１１】
2015016130.tif 000013
【図１２】
2015016130.tif 000014